(57)【要約】本発明の鎹型パネル用水分逆流防止キャップは、互いに連結される鎹部間の微細な隙間を通して、水分が風によりパネルの内部に逆流することを防止するためのものである。各鎹型パネルは、パネル方形に形成されるボディ（７）、前記ボディ（７）の隣接した２辺からボディ（７）の一面に平行になるよう外側に折り曲げられる外側鎹部（９）、及び前記外側鎹部（９）の反対側の隣接した２辺から前記ボディ（７）の他面に平行になるよう内側に折り曲げられる内側鎹部（１１）を含む。前記水分逆流防止キャップは、互いに連結される外側鎹部（９）の上側内部に固定手段により固定され、前記外側鎹部（９）の上側に板状の楔構造に設けられる水分遮断部（３）を含む。
2006514188.tif 000002
【特許請求の範囲】
【請求項１】
方形に形成されるボディ、前記ボディの隣接した２辺からボディの一面に平行になるよう外側に折り曲げられる外側鎹部、及び前記外側鎹部の反対側の隣接した２辺から前記ボディの他面に平行になるよう内側に折り曲げられる内側鎹部を含む鎹方パネル用水分逆流防止キャップにおいて、
前記水分逆流防止キャップは、互いに連結される鎹型パネルの外側及び内側鎹部間に形成される隙間を通して、前記ボディに付いている水分が逆流しないように、前記外側鎹部の上側内部に固定手段により固定され、前記外側鎹部の上側に板状の楔構造に設けられる水分遮断部を含むことを特徴とする鎹型パネル用水分逆流防止キャップ。
【請求項２】
前記水分遮断部は２重のＬ字形に形成され、固定手段として釘により固定されるように、前記水分遮断部の一側に設けられた固定部を含むことを特徴とする請求項１に記載の鎹型パネル用水分逆流防止キャップ。
【請求項３】
前記水分遮断部は１重の三角形に形成され、固定手段として釘により固定されるように、前記水分遮断部の一側に設けられた固定部を含むことを特徴とする請求項１に記載の鎹型パネル用水分逆流防止キャップ。
【請求項４】
前記水分遮断部は２重のＬ字形に形成され、固定手段として接着剤により固定されることを特徴とする請求項１に記載の鎹型パネル用水分逆流防止キャップ。
【請求項５】
前記水分遮断部は１重の三角形に形成され、固定手段として接着剤により固定されることを特徴とする請求項１に記載の鎹型パネル用水分逆流防止キャップ。
【請求項６】
前記鎹型パネルは、固定手段として使用される釘又は別途のクリップにより組み立てられることを特徴とする請求項１ないし５のいずれか１項に記載の鎹型パネル用水分逆流防止キャップ。
【発明の詳細な説明】
【技術分野】
【０００１】
本発明は鎹型パネル用水分逆流防止キャップに係り、より詳しくは互いに連結される鎹部の微細な隙間を通して、風によりパネル内部に水分が逆流することを防止する鎹型パネル用水分逆流防止キャップに関するものである。
【背景技術】
【０００２】
一般に、建築物は支柱、壁及び屋根を有するもので、外部の自然環境から内部空間を保護して、使用者に必要な内部空間を提供するようになっている。このため、建築物の屋根及び内外壁は断熱及び防水を実現するように構成されている。また、この屋根及び内外壁は、建築物の外形を美麗にして住居及び都市美観を向上させるため、内外装材で装飾されている。
【０００３】
このような建築物の内外装材には石材又は金属パネルなどがある。この建築物の内外装用石材パネルは、施工後、連結部にシーリング処理を施さなければならないため、施工が不便であり、石材の重量により作業が難しい欠点がある。
【０００４】
前記石材パネルのこのような欠点を克服するため、金属パネルが多く使用されている。この建築物内外装用の金属パネルは石材パネルに比べて施工速度が速くて価格が安く、美観を美しく装飾し得るので、多く使用されている。
【０００５】
このような建築物内外装用の金属パネルとしては、鎹型パネルが多く使用されている。この建築物内外装用の鎹型パネルは、正方形、長方形、菱形に形成され、４辺のうち、隣接した２辺が前方に折り曲げられ、残り２辺が後方に折り曲げられる鎹部を持っている。
【０００６】
したがって、この建築物内外装用の鎹型パネルは、一枚のパネルの前方鎹部にほかの一枚のパネルの鎹部が結合される連続結合構造をもって建築物の屋根や内外壁を装飾している。
【０００７】
この建築物内外装用の鎹型パネルは、前後方鎹部が互いに連結されたままで、それぞれクリップと固定釘により屋根や内外壁に固定される。
この建築物内外装用の鎹型パネルは互いに連結されるが、内側鎹部と外側鎹部間に微細な隙間が形成され、このパネルに付いている水分は、風により前記微細な隙間を通してパネルの内部に逆流することになる。
【発明の開示】
【発明が解決しようとする課題】
【０００８】
したがって、本発明は前記のような問題点を解消するためになされたもので、その目的は、互いに連結される鎹部間の微細な隙間を通して、水分が風によりパネルの内部に逆流することを防止する鎹型パネル用水分逆流防止キャップを提供することにある。
【課題を解決するための手段】
【０００９】
前記目的を達成するため、本発明は、方形に形成されるボディ、前記ボディの隣接した２辺からボディの一面に平行になるよう外側に折り曲げられる外側鎹部、及び前記外側鎹部の反対側の隣接した２辺から前記ボディの他面に平行になるよう内側に折り曲げられる内側鎹部を含む鎹方パネル用水分逆流防止キャップにおいて、前記水分逆流防止キャップは、互いに連結される鎹型パネルの外側及び内側鎹部間に形成される隙間を通して、前記ボディに付いている水分が逆流しないように、前記外側鎹部の上側内部に固定手段により固定され、前記外側鎹部の上側に板状の楔構造に設けられる水分遮断部を含む、鎹型パネル用水分逆流防止キャップを提供する。
【００１０】
前記水分遮断部は２重のＬ字形に形成され、固定手段として釘により固定されるように、前記水分遮断部の一側に設けられた固定部を含むことができる。
前記水分遮断部は１重の三角形に形成され、固定手段として釘により固定されるように、前記水分遮断部の一側に設けられた固定部を含むことができる。
前記水分遮断部は２重のＬ字形に形成され、固定手段として接着剤により固定されることができる。
前記水分遮断部は１重の三角形に形成され、固定手段として接着剤により固定されることができる。
前記鎹型パネルは、固定手段として使用される釘又は別途のクリップにより組み立てられることができる。
【発明の効果】
【００１１】
本発明による鎹型パネル用水分逆流防止キャップは、多様に形成される鎹型パネルの外側鎹部の上側内部に多様な水分遮断部を備えてなるので、鎹方パネルの外側及び内側鎹部を単に連結してなる従来技術に比して、鎹型パネルのボディに付いている水分が風によりパネルの内部に逆流することを効果的に遮断及び防止することができる。
【発明を実施するための最良の形態】
【００１２】
以下、添付図面を参照して本発明を説明するが、図面において、同一あるいは類似の部品には同一符号を付ける。本発明の前記及びほかの目的、特徴及び利点は添付図面を参照する以降の詳細な説明からより明らかに理解可能である。
【００１３】
図１は本発明の第１実施形態による鎹型パネル用水分逆流防止キャップの斜視図であって、この実施形態による水分逆流防止キャップ１は水分遮断部３を持っている。
【００１４】
第１実施形態による水分逆流防止キャップ１が使用される第１鎹型パネル５は、図２に示すように、方形のボディ７と、このボディ７に設けられる外側鎹部９及び内側鎹部１１を有し、これらにより、連続的に連結して設置できるように構成される。
【００１５】
第１鎹型パネル５において、ボディ７は第１鎹型パネル５の概略的な外形をなすもので、４辺の長さが同一な正方形又は菱形に形成されることが好ましいが、長方形又は平行四辺形に形成されてもかまわない。外側鎹部９はボディ７の隣接した２辺に形成されボディ７の外側に折り曲げられてボディ７の一面に平行に形成される。内側鎹部１１は外側鎹部９の反対側の隣接した２辺に形成され、ボディ７の内側に折り曲げられてボディ７の他面に平行に形成される。
【００１６】
前記第１実施形態の水分逆流防止キャップ１は、図２に示すように、外側鎹部９の上側内部に固定され、互いに連結される複数の第１鎹型パネル５の外側鎹部９及び内側鎹部１１間に形成される隙間を通して、ボディ７に付いている水分が逆流してパネル５の内部に流入することを遮断するように構成される。
【００１７】
すなわち、第１実施形態の水分逆流防止キャップ１は、固定手段により外側鎹部９の上側内部に固定されるように構成される。前記外側鎹部９の上側内部に固定された水分遮断部３は外側鎹部９の上側に板状の楔形状に取り付けられて、前記のように水分の逆流を遮断及び防止する。
【００１８】
この水分遮断部３は２重のＬ字形に形成されて、その中央に水分誘導溝３ａが形成され、水分逆流防止キャップ１の固定手段として釘１ａを使用し得るように、その一側に固定部３ｂが設けられている。この固定部３ｂは、第１鎹型パネル７に設けられたパネル固定部５ａと重なった状態で前記釘１ａにより固定される。この固定部３ｂを有する第１実施形態の水分逆流防止キャップ１を第１鎹型パネル５に適用可能にするため、第１鎹型パネル５は固定部３ｂに相応するパネル固定部５ａを持っている。水分遮断部３は、水分逆流防止効果を増大させるため、水分誘導溝３ａを介在してボディ７と外側鎹部９側に広がろうとする作用力を発揮するように構成することが好ましい。
【００１９】
図３は本発明の第２実施形態による鎹型パネル用水分逆流防止キャップ１３の斜視図であって、その全体的な構成及び作用効果は第１実施形態の水分逆流防止キャップ１の構成及び作用効果と同一又は類似のものである。したがって、同一部分に対する構成及び作用効果の説明は省略し、そのほかの部分に対する構成及び作用効果は互いに比較して説明する。
【００２０】
すなわち、第１実施形態の水分逆流防止キャップ１は、水分遮断部３が２重のＬ字形に形成されているが、第２実施形態の水分逆流防止キャップ１３は、水分遮断部１５が１重の三角形に形成され、この水分遮断部１５の一側に、第１実施形態と同様な固定部１５ａが設けられている。また、水分遮断部１５は、ボディ７に付いている水分の逆流を遮断及び防止するため、十分な厚さに形成されて外側鎹部９の内側に締りばめ方式で結合されることが好ましい。
【００２１】
図４は本発明の第２実施形態による水分逆流防止キャップ１３が第１鎹型パネル５に取り付けられた状態を示す斜視図であって、図２に示す第１鎹型パネル５に取り付けられた第１実施形態の水分逆流防止キャップ１と同様な構成及び作用効果を持っている。
【００２２】
図５は本発明の第１又は第２実施形態による水分逆流防止キャップ１、１３を第１鎹型パネル５に取り付けた状態を示す平面図である。第１鎹型パネル５は、外側鎹部９及び内側鎹部１１を互いに連結し、パネル固定部５ａに第１又は第２水分逆流防止キャップ１、１３の固定部３ｂ、１５ａを重ね、固定手段の釘１ａを打ち込むことにより固定される。
【００２３】
図６は本発明の第３実施形態による鎹型パネル用水分逆流防止キャップ１７を示す斜視図であって、この第３実施形態の水分逆流防止キャップ１７は水分遮断部１９を持っている。
【００２４】
この第３実施形態の水分逆流防止キャップ１７が適用される第２鎹型パネル２１は、図７に示すように、方形に形成されたボディ２３と、このボディ２３に設けられる外側鎹部２５と、内側鎹部２７とを備えて、互いに連続的に連結されて構成される。
【００２５】
このように、第２鎹型パネル２１はその全体的な構成において第１鎹型パネル５と類似するので、その説明は省略し、相違した部分を比較して説明すると、第１鎹型パネル５のパネル固定部５ａに相応する構成部が別途のクリップ２９として構成されることに違いがある。
【００２６】
第３実施形態による水分逆流防止キャップ１７は、図７に示すように、外側鎹部２５の上側内部に固定され、互いに連結される複数の第２鎹型パネル２１の外側鎹部２５及び内側鎹部２７間に形成される隙間を通して、ボディ２３上に付いている水分が風によりパネル２１の内部に逆流することを遮断するように構成される。
【００２７】
すなわち、第３実施形態の水分逆流防止キャップ１７は、固定手段として接着剤を用いて外側鎹部２５の上側内部に固定されるように構成される。水分遮断部１９は、第１実施形態の水分逆流防止キャップ１と同様に、２重のＬ字形に形成され、その中央に水分誘導溝１９ａが形成されている。この水分遮断部１９は、水分逆流防止効果を増大させるため、水分誘導溝１９ａを介在してボディ２３と外側鎹部２５側に広がろうとする作用力を発揮するように構成されることが好ましい。
【００２８】
図８は本発明の第４実施形態による鎹型パネル用水分逆流防止キャップ３１の斜視図であって、その全体的な構成及び作用効果は第３実施形態の水分逆流防止キャップ１７の構成及び作用効果と同一又は類似のものである。したがって、同一部分に対する構成及び作用効果の説明は省略し、そのほかの部分に対する構成及び作用効果は互いに比較して説明する。
【００２９】
すなわち、第３実施形態の水分逆流防止キャップ１７は、水分遮断部１９が２重のＬ字形に形成されているが、第４実施形態の水分逆流防止キャップ３１は、水分遮断部３３が１重の三角形に形成される。この水分遮断部３３は、ボディ２３に付いている水分の逆流を遮断及び防止するため、十分な厚さに形成されて外側鎹部２５の内側に締りばめ方式で結合されることが好ましい。
【００３０】
図９は本発明の第４実施形態による水分逆流防止キャップ３１が第２鎹型パネル２１に取り付けられた状態を示す斜視図であって、図７に示す第２鎹型パネル２１に取り付けられた第３実施形態の水分逆流防止キャップ１７と同様な構成及び作用効果を持っている。
【００３１】
図１０は本発明の第３又は第４実施形態による水分逆流防止キャップ１７、３１を用いて第２鎹型パネル２１を組み立てた状態を示す平面図である。この第２鎹型パネル２１は外側鎹部２５及び内側鎹部２７を互いに連結しクリップ２９により固定され、第３又は第４水分逆流防止キャップ１７、３１は接着剤により別途に付着されることにより、第２鎹型パネル２１に付いている水分が風によりパネル２１の内部に逆流することを遮断及び防止する。
【００３２】
これまで本発明の好ましい実施形態を例示的に開示したが、当業者であれば、添付する特許請求範囲に開示された本発明の範囲から逸脱することなしで多様な変形、追加及び代替が可能であろう。
【図面の簡単な説明】
【００３３】
【図１】本発明の第１実施形態による鎹型パネル用水分逆流防止キャップの斜視図である。
【図２】本発明の第１実施形態による鎹型パネル用水分逆流防止キャップが第１鎹型パネルに取り付けられた状態を示す斜視図である。
【図３】本発明の第２実施形態による鎹型パネル用水分逆流防止キャップの斜視図である。
【図４】本発明の第２実施形態による鎹型パネル用水分逆流防止キャップが第１鎹型パネルに取り付けられた状態を示す斜視図である。
【図５】本発明の第１又は第２実施形態による鎹型パネル用水分逆流防止キャップを第１鎹型パネルに取り付けられた状態を示す平面図である。
【図６】本発明の第３実施形態による鎹型パネル用水分逆流防止キャップの斜視図である。
【図７】本発明の第３実施形態による鎹型パネル用水分逆流防止キャップが第２鎹型パネルに取り付けられた状態を示す斜視図である。
【図８】本発明の第４実施形態による鎹型パネル用水分逆流防止キャップの斜視図である。
【図９】本発明の第４実施形態による鎹型パネル用水分逆流防止キャップが第２鎹型パネルに取り付けられた状態を示す斜視図である。
【図１０】本発明の第３又は第４実施形態による鎹型パネル用水分逆流防止キャップを第２鎹型パネルに取り付けられた状態を示す平面図である。
【図１】
2006514188.tif 000003
【図２】
2006514188.tif 000004
【図３】
2006514188.tif 000005
【図４】
2006514188.tif 000006
【図５】
2006514188.tif 000007
【図６】
2006514188.tif 000008
【図７】
2006514188.tif 000009
【図８】
2006514188.tif 000010
【図９】
2006514188.tif 000011
【図１０】
2006514188.tif 000012
【国際調査報告】
2006514188.tif 000013
2006514188.tif 000014